(57)【要約】【課題】  壁面を傷つけたり汚したりせずに、自由な場所に容易に壁掛け状態に設置できる携帯端末機用置き台を得る。【解決手段】  携帯端末機を保持するための保持部である置き穴２を有する置き台本体１と、置き台本体１に設けた吸盤６と、吸盤６の内側と連通する分岐管８と、分岐管８にＴ字状に接続したシリンダ９と、シリンダ９内を直動するレバー１０と、レバー１０に固定されレバー１０に連動してシリンダ９の内面を摺動するＯリング１１とで構成し、置き台本体１を壁面に取り付けるときは、吸盤６を壁面に押し当て、レバー１０をシリンダ９内に高速で移動させて空気流を発生させ、その空気流により吸盤６内の空気を分岐管８を通じて吸引して吸盤６を壁面に吸着させ、レバー１０と連動するＯリング１１により分岐部１４を気密に封止するようにした。【選択図】図２
2005167812.tif 000002
【特許請求の範囲】
【請求項１】
携帯端末機を保持するための保持部を有する置き台本体と、上記置き台本体に設けた吸盤と、一端を上記吸盤の底面に内側と連通させて設けた分岐管と、上記分岐管の内径より大きい内径を有し上記分岐管の他端にＴ字状に接続したシリンダと、上記シリンダ内を直動するレバーと、上記レバーの所定の位置に固定され上記レバーと連動して上記シリンダの内面を摺動するＯリングとを備え、上記置き台本体を壁面に取り付けるとき、上記吸盤を上記壁面に押し当て、上記レバーを上記シリンダ内に高速で移動させて空気流を発生させ、上記空気流により上記分岐管内を負圧にして上記吸盤内の空気を上記分岐管を通じて吸引し、上記移動の終段において上記レバーと連動した上記Ｏリングにより上記シリンダと上記分岐管との分岐部を気密に封止することにより上記置き台本体を上記壁面に固定するようにしたことを特徴とする携帯端末機用置き台。
【請求項２】
請求項１記載の携帯端末機用置き台において、上記置き台本体の上記保持部に外部充電器から給電可能な給電端子を設けたことを特徴とする携帯端末機用置き台。
【発明の詳細な説明】
【技術分野】
【０００１】
この発明は、例えば携帯電話等の携帯端末機の置き台に関し、特に壁掛け状態で使用できる置き台に関するものある。
【背景技術】
【０００２】
従来の携帯端末機の置き台は、卓上において使用されるのが一般的であるが、卓上スペースを有効利用するため、例えば、据置型に形成されたコードレス電話機用の充電器（置き台と兼用）を壁掛け金具を用いて壁面に設置する次のような技術がある。即ち、充電器の両側面にほぼその全面にわたって、底面が幅広で解放状に形成された窪み状平面が形成されており、これに対応する壁掛け金具が、充電器の窪み状平面の周縁の形状に合わせた形状の縁部を有する一対の平板状の保持部と、この保持部を連結し壁面に取り付ける連結部とで形成されており、壁掛け金具の連結部をねじで壁面に固定し、その壁掛け金具に充電器を載置して使用する構造となっている（例えば、特許文献１参照）。
【０００３】
【特許文献１】実開平６−１３２４０号公報（第２頁、図１）
【発明の開示】
【発明が解決しようとする課題】
【０００４】
従来の携帯端末機用置き台は以上のように構成されているので、置き台である充電器は壁掛け金具に簡単に着脱でき、壁掛け状態でも卓上に据え置き状態でも使用できるが、壁掛け時は壁掛け金具をねじにより壁面に固定するようになっているので、固定が面倒で、壁面を傷つけ、壁掛け状態で使用するときはその壁掛け金具の固定場所でしか使用できず、また、卓上で使用するときは壁掛け金具がじゃまになるという問題点があった。壁面固定をねじによらずに粘着固定する方法も考えられるが、その場合でも壁掛け金具を取り外した場合に壁面を汚すという問題点があった。
【０００５】
この発明は、上記のような問題点を解消するためになされたもので、ねじ固定の煩わしさが無く、壁面を傷つけたり汚したりせず、自由な場所に壁掛け状態に設置できる携帯端末機用置き台を提供することを目的とする。
【課題を解決するための手段】
【０００６】
この発明に係わる携帯端末機用置き台は、携帯端末機を保持するための保持部を有する置き台本体と、置き台本体に設けた吸盤と、一端を吸盤の底面に内側と連通させて設けた分岐管と、分岐管の内径より大きい内径を有し分岐管の他端にＴ字状に接続したシリンダと、シリンダ内を直動するレバーと、レバーの所定の位置に固定されレバーと連動してシリンダの内面を摺動するＯリングとを備え、置き台本体を壁面に取り付けるとき、吸盤を壁面に押し当て、レバーをシリンダ内に高速で移動させて空気流を発生させ、空気流により分岐管内を負圧にして吸盤内の空気を分岐管を通じて吸引し、移動の終段においてレバーと連動したＯリングによりシリンダと分岐管との分岐部を気密に封止することにより置き台本体を壁面に固定するようにしたものである。
【発明の効果】
【０００７】
この発明の携帯端末機用置き台によれば、置き台本体に吸盤を設け、シリンダとレバーにより吸盤内の空気を吸引し、Ｏリングによりその状態を保持するようにしたので、壁面を傷つけたり汚したりすることなく、使用者の好みに応じた自由な場所に、簡単に壁掛け状態に設置できる携帯端末機用置き台を得ることができる。
【発明を実施するための最良の形態】
【０００８】
実施の形態１．
図１はこの発明の実施の形態１である携帯端末機用置き台を示す斜視図であり、図２は要部の平面断面図、図３は壁面への着脱動作を説明する図である。図１、図２において、置き台本体１は平面中央部に携帯端末機の保持部である置き穴２が設けられており、底部には保持する携帯端末機に対して充電可能な給電端子３が配置されている。この給電端子３は側面に設けられた接続端子４と電気的に接続されている。置き台本体１を壁面に固定する装置として、置き台本体１の側面に支持部材５を介して可撓性の樹脂からなる吸盤６が固着されている。吸盤６の吸着面には複数の吸気孔７が設けられている。
【０００９】
吸盤６の底面すなわち吸着面の反対側から吸盤６の内側と連通して分岐管８が導出され、この分岐管８に、分岐管８の内径より大きい内径（例えば２倍以上）を持つシリンダ９がＴ字状に接続されている。シリンダ９にはレバー１０の一端が挿入されて、軸方向に直動してピストンの役目をする。レバー１０の所定の位置にＯリング１１が固定されおり、レバー１０に連動してシリンダ９内を摺動するようになっている。レバー１０の他端には取っ手１２が設けられている。ここで、レバー１０がシリンダ９内を移動し、終段において先端がストッパ１３に当接する位置で、Ｏリング１１は分岐管８とシリンダ９との分岐部１４の位置にくるように寸法調整されており、またＯリング１１の大きさは、分岐部１４を塞ぐ大きさとしている。
また、置き台本体１の接続端子４には、外部の充電器１５に付属するコネクタ１６が接続できるようになっている。
【００１０】
次に動作について説明する。置き台を卓上で使用する場合は、そのまま設置して置き穴２に携帯端末機を挿入して保持する。保持状態で携帯端末機の充電接点が給電端子３に接触するようになっているので、必要に応じ、図示しない外部コンセント（ＡＣ１００Ｖ）に接続した充電器１５から、コネクタ１６および接続端子４を介して充電することができる。
【００１１】
次に、本発明の特徴である、置き台を壁面に取り付けて壁掛け状態で使用する場合の取付方法について、図３を参照しながら説明する。置き台本体１の吸盤６を取り付けようとする壁面位置に押し当て、取っ手１２を手で握り、図３（ａ）に示すように、レバー１０をシリンダ９内の矢印方向へ高速（例えば１００ｍｍ/sec以上）で押し込む。これにより、シリンダ９内には高速の空気流が発生する。分岐管８の口径はシリンダ９より非常に小さいので、空気流により分岐管８内は減圧されて負圧となり、吸盤６内の空気は分岐管８を通り分岐部１４からシリンダ９内に吸引される。これにより、吸盤６内の圧力は低下し、吸盤６は壁面に吸着される。更にレバー１０を押し込むと、終段において、図３（ｂ）に示すように、レバー１０の先端部がストッパ１３に当接して停止する。このとき、Ｏリング１１が分岐部１４を塞ぎ、これ以降その状態を保持する。Ｏリング１１によって分岐部１４は気密に封止されているので、置き台本体１は壁面に吸着した状態を保つことができる。
【００１２】
吸着を解除する場合は、図３（ｃ）に示すように、レバー１０を引いて矢印の方向に移動させると、Ｏリング１１で封止していた気密が破れ、外部から分岐管８内に空気が流入するので、吸盤６内に空気が入り込み吸着が解除される。
【００１３】
なお、置き台本体１とシリンダ９の取付方向および取付位置の関係は図１に限定するものではなく、例えばシリンダ９の取付方向は、図１のような水平方向ではなく、９０度時計方向に回転させて垂直方向としても良く、また取り付け位置は、置き台本体１の真横ではなく斜め上方としても良い。
【００１４】
また、図１では置き台本体１に給電端子３と接続端子４を設けたものについて説明したが、単に携帯端末機の置き台のみとして使用する場合は、給電端子３と接続端子４を省いたものでも良い。その場合は携帯端末機の充電は携帯端末機に直接充電器を接続して行う。
【００１５】
以上のように、本実施の形態の発明によれば、置き台本体に設けた吸盤に連通させて分岐管を設け、それとＴ字状に接続したシリンダと、その内部にＯリングを介して摺動させるレバーとにより、吸盤内の空気を吸引して封止するようにしたので、使用者の好みに応じた自由な場所に置き台本体を壁掛け状態とすることが可能であり、壁面を汚したり傷つけることなく、また、壁面への着脱を容易に行うことができる。
【００１６】
また、置き台本体の保持部に給電端子を設けた場合は、上記効果に加え、置き台に携帯端末機を保持した状態で充電することができる。
【産業上の利用可能性】
【００１７】
携帯電話機、ＰＨＳ、コードレス電話機、ＰＤＡ等の携帯端末機に適用でき、また、自己装置で充電機能が備わったデジタルカメラや携帯カセット、ＣＤ、ＭＤ装置などの置き台にも応用できる。
【図面の簡単な説明】
【００１８】
【図１】この発明の実施の形態１における携帯端末機用置き台を示す斜視図である。
【図２】図１の要部の平面断面図である。
【図３】この発明の置き台本体を壁面へ着脱する場合の動作を説明する図である。
【符号の説明】
【００１９】
１  置き台本体                          ２  置き穴
３  給電端子                            ６  吸盤
８  分岐管                              ９  シリンダ
１０  レバー                            １１  Ｏリング
１４  分岐部。
【図１】
2005167812.tif 000003
【図２】
2005167812.tif 000004
【図３】
2005167812.tif 000005